(57)【要約】【課題】既存の仕組みに与える影響を少なくして高密度記録モードで記録された光ディスクの判別を行うことを可能とする光ディスク装置、光ディスクの判別方法を提供する。【解決手段】光ディスクの記録／再生規格として定められた第１のフォーマット、又は、前記第１のフォーマットよりも記録密度が高い第２のフォーマットのいずれか一方を選択し、前記選択した方のフォーマットに則した記録／再生を行う光ディスク装置において、前記光ディスクに前記第２のフォーマットに則した記録を行う場合、前記第１のフォーマットにより設定された前記光ディスクの設定領域に対して、前記設定領域に記録されるべき所定のデータとは異なる判別コードを、前記第１のフォーマットに則して記録する制御手段を備える。【選択図】    図７
2005129179.tif 000002
【特許請求の範囲】
【請求項１】
光ディスクの記録／再生規格として定められた第１のフォーマット、又は、前記第１のフォーマットよりも記録密度が高い第２のフォーマットのいずれか一方を選択し、前記選択した方のフォーマットに則した記録／再生を行う光ディスク装置において、
前記光ディスクに前記第２のフォーマットに則した記録を行う場合、前記第１のフォーマットにより設定された前記光ディスクの設定領域に対して、前記設定領域に記録されるべき所定のデータとは異なる判別コードを、前記第１のフォーマットに則して記録する制御手段を備えたこと、を特徴とする光ディスク装置。
【請求項２】
前記制御手段は、
前記第１のフォーマットにより設定された前記光ディスクへの記録／再生に関する情報が記憶される記憶領域について、前記記憶領域におけるメインチャンネル用の第１の領域及び／又はサブチャンネル用の第２の領域を、前記設定領域に設定し、
前記第１の領域及び／又は前記第２の領域に記録されるべきデータとは異なるデータを、 前記判別コードに設定したこと、を特徴とする請求項２に記載の光ディスク装置。
【請求項３】
前記制御手段は、
前記第１の領域内における所定範囲の領域内を論理値１としたデータを、前記判別コードに設定したこと、を特徴とする請求項２に記載の光ディスク装置。
【請求項４】
前記制御手段は、
前記所定範囲の領域内を、前記第１の領域内全域に設定したこと、を特徴とする請求項３に記載の光ディスク装置。
【請求項５】
前記制御手段は、
前記第２の領域内における所定範囲の領域内を論理値１若しくは論理値０としたデータを、前記判別コードに設定したこと、を特徴とする請求項２に記載の光ディスク装置。
【請求項６】
前記制御手段は、
前記所定範囲の領域内を、前記第２の領域内全域に設定したこと、を特徴とする請求項５に記載の光ディスク装置。
【請求項７】
光ディスクの記録／再生規格として定められた第１のフォーマットより記録密度が高い第２のフォーマットに則して記録された前記光ディスクを判別する方法であって、
前記第１のフォーマット又は前記第２のフォーマットのいずれか一方を選択し、前記選択した方のフォーマットに則した記録／再生を行う第１の光ディスク装置は、
前記第２のフォーマットに則した記録を行う場合、前記第１のフォーマットにより設定された前記光ディスクの設定領域に対して、前記設定領域に記録されるべき所定のデータとは異なる判別コードを、前記第１のフォーマットに則して記録を行い、
前記第１のフォーマットに則した再生を行う第２の光ディスク装置は、
前記第１のフォーマットに則した再生を行う場合、前記設定領域に前記判別コードが記録されているか否かを検出し、
前記設定領域に前記判別コードが記録されていたことを検出したとき、当該光ディスクが前記第１のフォーマットに則して記録されていない状態にあることを判別すること、
を特徴とする光ディスクシステムの判別方法。
【請求項８】
前記第２の光ディスク装置は、
前記光ディスクの再生を行う場合、前記検出を所定回数繰り返し行い、
前記設定領域に前記判別コードが記録されていたことを前記所定回数分検出したとき、
前記光ディスクが前記第１のフォーマットに則して記録されていない状態であると判別すること、を特徴とする請求項７に記載の光ディスクシステムの判別方法。
【請求項９】
前記第１のフォーマットに則して記録されていない状態は、前記第２のフォーマットに則して記録された状態であること、を特徴とする請求項７又は８に記載の光ディスク判別方法。
【発明の詳細な説明】
【技術分野】
【０００１】
本発明は、光ディスク装置、光ディスク判別方法に関する。
【背景技術】
【０００２】
レーザー光を利用して情報の記録・再生可能な光ディスクの規格の一つとして、データ追記型（Write Once）のＣＤ−Ｒや、書き換え可能型(ReWritable)のＣＤ−ＲＷなどのＣＤ（Compact Disk）規格がある。近年、ＣＤ−Ｒ及びＣＤ−ＲＷディスクについては、低価格化と併せて普及率が拡大しており、広く一般化されている。
【０００３】
記録・再生が可能なＣＤ規格のディスクフォーマットに則した光ディスク（ＣＤメディア）では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Absolute time In Pregroove）アドレスを取得できる。ＡＴＩＰアドレスは、ＣＤ規格のデータフォーマット（データ構造）に則してデータの記録・再生を行う光ディスク装置において、ＣＤメディア上でのデータの記録及び再生位置を管理するための管理情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクなどのＣＤメディアの標準の記録容量ではこうしたニーズに対応できない。
【０００５】
そこで、ＣＤメディアに対して、ＤＶＤ（Digital Versatile Disk）規格といったＣＤ規格よりもフォーマット効率が高いデータフォーマット（データ構造）を用いて記録及び再生を行う高密度記録モードをサポートする光ディスク装置が提案されている（以下、従来の光ディスク装置と称する）。例えば、ＤＶＤ規格のデータフォーマットでは、光ディスク（ＤＶＤメディア）上に設定されたセクタのヘッダー部に、当該セクタを識別するためのＩＤ（Identification Data）情報が記録されることになる。
【０００６】
従来の光ディスク装置は、当該ＩＤ情報に対応づけられた高密度記録用アドレスを利用することで、光ディスク（ＣＤメディア）への高密度記録を行っていた(例えば、以下に示す特許文献１参照)。
【特許文献１】特開２００２−５６６１７号公報
【発明の開示】
【発明が解決しようとする課題】
【０００７】
ところで、従来の光ディスク装置では、ＣＤメディアに対して、ＣＤ規格のフォーマットで記録を行う場合（標準記録モード）と、ＤＶＤ規格のフォーマットで記録を行う場合（高密度記録モード）が考えられ、この結果、同一のＣＤメディアであるにも関わらず、標準記録モードによって記録されたＣＤメディアと、高密度記録モードによって記録されたＣＤメディアの２種類存在することになる。よって、従来の光ディスク装置は、他のＣＤプレイヤーなどの光ディスク装置において、これら２種類のＣＤメディアが正確に判別されるように予め対策を講じておく必要がある。
【０００８】
そこで、従来の光ディスク装置は、例えば、高密度記録モードによってＣＤメディアの記録を行う場合、高密度記録モードで記録されたことを示す識別データを記録することが考えられる。この場合、前述した識別データは、ＤＶＤ規格のフォーマットで記録されているので、他の光ディスク装置が、高密度記録モードで記録されたＣＤメディアを再生するときには、前述した識別データの読み出しを行うために、ＤＶＤ規格のフォーマットで記録されたデータをデコードするための高密度記録モード用デコーダ（ＤＶＤ専用デコーダ）を備えておく必要がある。
【０００９】
よって、高密度記録モード用デコーダを備えていない他の光ディスク装置は、高密度記録モードによって記録されたＣＤメディアを正しく判別することができない。この場合、ＣＤメディアが高密度記録モードによって正常に記録されていたにも関わらず、ディスクエラーとして判定されることがあり、最悪の場合、ユーザーが誤って当該ＣＤメディアに記録された内容を消去してしまう可能性がある。
【００１０】
したがって、高密度記録モードによって記録されたＣＤメディアを他の光ディスク装置において正確に判別させるためには高密度記録モード用デコーダを予め備えておく必要がある。しかしながら、標準記録モード用デコーダ（ＣＤ専用デコーダ）を備える他の光ディスク装置において、高密度記録モード用デコーダを別途組み込むことは、製造コストや装置規模の増大化につながるという問題が生じてしまう。
【００１１】
そこで、本発明は、既存の仕組みに与える影響を少なくして高密度記録モードで記録された光ディスクの判別を行うことを可能とする光ディスク装置、光ディスクの判別方法を提供することを目的とする。
【課題を解決するための手段】
【００１２】
前記課題を解決するための主たる本発明は、光ディスクの記録／再生規格として定められた第１のフォーマット、又は、前記第１のフォーマットよりも記録密度が高い第２のフォーマットのいずれか一方を選択し、前記選択した方のフォーマットに則した記録／再生を行う光ディスク装置において、前記光ディスクに前記第２のフォーマットに則した記録を行う場合、前記第１のフォーマットにより設定された前記光ディスクの設定領域に対して、前記設定領域に記録されるべき所定のデータとは異なる判別コードを、前記第１のフォーマットに則して記録する制御手段を備えたこと、とする。
【００１３】
本発明の他の特徴については、添付図面及び本明細書の記載により明らかにする。
【発明の効果】
【００１４】
本発明によれば、既存の仕組みに与える影響を少なくして、高密度記録のデータフォーマットで記録された光ディスクの判別を行うことが可能となる。
【発明を実施するための最良の形態】
【００１５】
＝＝＝実施例＝＝＝
以下、本発明の実施の形態を図面に基づいて具体的に説明する。
【００１６】
＜光ディスク装置構成＞
本発明の一実施形態である光ディスク装置１００の概略構成を、図１を用いて説明する。  ここで、図１に示す光ディスク装置１００は、既存のＣＤ規格のディスクフォーマットに則した光ディスク（ＣＤメディア）２００に対して、ＣＤ規格のデータフォーマット（『第１のフォーマット』）を用いてデータの記録及び再生を行う標準記録モードと、ＣＤ規格と比較してフォーマット効率の高い、すなわち、誤り訂正符号など記録データに付加する冗長データのサイズが小さい（冗長度が低い）ＤＶＤ規格などのデータフォーマット（『第２のフォーマット』）を用いてデータの記録及び再生を行う高密度記録モードのいずれか一方を選択して実行する仕組みを兼ね備えている。
【００１７】
まず、光ディスク（ＣＤメディア）２００では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Absolute Time In Pregroove）アドレスを取得することができる。
【００１８】
光ディスク装置１００は、同図に示すとおり、光学ヘッド１、フロントエンド処理部２、光学ヘッドサーボ回路３、ＲＦ信号２値化処理部４、ＷＢＬ検出部５、ＡＴＩＰデコーダ６、ＰＳＮデコーダ７、ＰＬＬ回路８、高密度記録モード用デコーダ９、標準記録モード用デコーダ１０、高密度記録モード用エンコーダ１１、標準記録モード用エンコーダ１２、インタフェース部１３、ＲＡＭ１４、システム制御マイコン（『制御手段』）１５、レーザー出力制御回路１６、レーザー駆動回路１７、スピンドルモーター１８、モーター駆動回路１９、モーター制御回路２０を有する。
【００１９】
光学ヘッド１は、対物レンズ（不図示）と、この対物レンズを介して光ディスク２００に対してレーザー光を出射するレーザー素子１ａと、光ディスク２００からの反射光を受光する受光素子（不図示）などが組み込まれている。また、光学ヘッド１には、光学ヘッド１を記録・再生対象の記録トラックに移動させるためのスライド機構、光ディスク２００に出射したレーザー光を記録・再生対象の記録トラックに追従させる制御（トラッキング制御）を行うためのトラッキング機構、光ディスク２００に出射したレーザー光の焦点ずれを補正する制御（フォーカス制御）を行うためのフォーカス機構、などが組み込まれている（いずれも不図示）。
【００２０】
フロントエンド処理部２は、マトリクス演算回路や増幅回路や波形整形回路（イコライザ）などで構成されるＲＦアンプ、３ビーム法、プッシュプル法やＤＰＤ（Differential Phase Detection）法などに基づいたトラッキング誤差信号生成回路、非点収差法やフーコー法などに基づいたフォーカス誤差信号生成回路などを備える（いずれも不図示）。
【００２１】
ＲＦアンプは、光学ヘッド１の受光素子（不図示）にて受光光量に応じて生成された電気信号に基づいて、記録・再生対象の記録トラック上にあるピットの有無を識別するためのＲＦ信号を生成する。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報も含むことになる。
【００２２】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００２３】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００２４】
ＲＦ信号２値化処理部４は、フロントエンド処理部２のＲＦアンプから出力されたＲＦ信号を受信して当該ＲＦ信号を２値化するための処理を行う。例えば、コンパレータなどによって構成できる。なお、ＲＦ信号２値化処理部４は、２値化ＲＦ信号をシステム制御マイコン１５に対して送信する。
【００２５】
ＷＢＬ検出部５は、ＢＰＦ（Band Pass Filter）回路やコンパレータ等によって構成される。ＢＰＦ回路は、フロントエンド処理部２にて生成されたＲＦ信号を受信してウォブリング周波数成分（中心周波数２２．０５ｋＨｚ）を抽出する。コンパレータは、前述のウォブリング周波数成分と基準電圧との比較によって２値化ＷＢＬ（Wobble）信号を生成し、ＡＴＩＰデコーダ６やモーター制御回路２０に送信する。
【００２６】
ＡＴＩＰデコーダ６は、ＷＢＬ検出部５から受信した１ＡＴＩＰ区間あたりのＷＢＬ信号をデコードしてＡＴＩＰアドレスを生成する。なお、１ＡＴＩＰ区間あたりのＷＢＬ信号には、同期検出用のパターン、製造メーカーやディスク種別など当該光ディスク２００を個別に識別するための識別情報、ＡＴＩＰアドレス等を含めたウォブリング情報、当該ウォブリング情報のビット誤りを検出するためのＣＲＣデータなどを含んでいる（図２参照）。
【００２７】
また、ＡＴＩＰデコーダ６は、ＣＲＣチェック回路６ａを有している。ＣＲＣチェック回路６ａは、１ＡＴＩＰ区間あたりのＷＢＬ信号からＡＴＩＰアドレスが正常にデコードしたか否かを識別するために、前述のＣＲＣデータに基づいてＣＲＣチェックを行う。なお、ＡＴＩＰアドレスのデコード結果の検査方式としては、ＣＲＣチェック方式に限定されるものではなく、例えば、パリティビットを用いたパリティチェック方式やＥＣＣ（Error Correcting Code）を用いたＥＣＣチェック方式を採用してもよい。
【００２８】
ＰＳＮデコーダ７は、光ディスク２００が未記録状態である場合、ＡＴＩＰデコーダ６にてデコードしたＡＴＩＰアドレスを受信して高密度記録用アドレスとしてのＰＳＮアドレスに変換する。一方、光ディスク２００が高密度記録された状態にある場合、ＰＳＮデコーダ７は、フロントエンド処理部２からＲＦ信号に含まれるＩＤ（Identification Data）情報を受信してＰＳＮアドレスに変換する。なお、ＩＤ情報とは、光ディスク装置１００が、記録トラック上でＰＳＮアドレスによって論理的に区分された各区分領域を識別するための情報であり、記録データ及びパリティビットと併せて光ディスク２００に記録されている（図３参照）。
【００２９】
ＰＬＬ回路８は、位相比較器、チャージポンプ、ＬＰＦ、ＶＣＯ、分周回路などを備える。この構成において、ＰＬＬ回路８は、ＷＢＬ検出部５から受信したＷＢＬ信号に基づいて、標準記録モード又は高密度記録モードでのデータ再生時におけるデコード処理のために、タイミング信号として用いられるクロック信号を生成する。
【００３０】
高密度記録モード用デコーダ９は、高密度記録モードによる再生を行う場合に、ＤＶＤ規格のデータフォーマットに対応したデコード処理を行う。なお、ＤＶＤ規格のデータフォーマットでは、変調コードとしてＥＦＭ−ｐｌｕｓ（８／１６変調）、誤り訂正符号としてＲＳ−ＰｒｏｄｕｃｔＣｏｄｅを採用している。そこで、高密度記録モード用デコーダ９は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３１】
標準記録モード用デコーダ１０は、標準記録モードによる再生を行う場合に、ＣＤ規格のデータフォーマットに対応したデコード処理を行う。なお、ＣＤ規格のデータフォーマットでは、変調コードとしてＥＦＭ（８／１４変調）、誤り訂正符号としてＣＩＲＣを採用している。そこで、標準記録モード用デコーダ１０は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３２】
高密度記録モード用エンコーダ１１は、パソコン等の情報処理装置（不図示）からインタフェース部１４を介して入力される記録データに関して、ＤＶＤ規格のデータフォーマットに対応したエンコード処理を行う。このエンコード処理としては、記録・再生時の誤り訂正単位である１ＥＣＣブロックを構成するための処理や、ＥＦＭ−ｐｌｕｓ変調処理及びスクランブル処理などが該当し、これらの処理が施された後の記録用変調信号をレーザー出力制御回路１６に送信する。
【００３３】
標準記録モード用エンコーダ１２は、パソコン等の情報処理装置（不図示）からインタフェース部１４を介して入力される記録データに関して、ＣＤ規格のデータフォーマットに対応したエンコード処理を行う。このエンコード処理としては、記録・再生時の誤り訂正単位であるＣＩＲＣ符号化処理や、ＥＦＭ変調処理及びスクランブル処理などが該当し、これらの処理が施された後の記録用変調信号をレーザー出力制御回路１６に送信する。
【００３４】
インタフェース部１３は、光ディスク装置１００とパソコン等の情報処理装置（不図示）などとの間における記録・再生データの送受信を制御する。  
ＲＡＭ１４は、当該情報処理装置（不図示）からインタフェース部１３を介して再生要求を受信した場合に、高密度記録モード用デコーダ９においてデコード処理中の中間データやデコード処理後の再生データを一時記憶する。この一時記憶された再生データは、インタフェース部１３を介して当該情報処理装置（不図示）に送信される。  
また、ＲＡＭ１４は、当該情報処理装置（不図示）からインタフェース部１３を介して受信した記録データを一時記憶する。この一時記憶された記録データは、高密度記録モード用エンコーダ１１でのエンコード処理の際にアクセスされる。
【００３５】
システム制御マイコン（『制御手段』）１５は、光ディスク２００の記録及び再生に係る光ディスク装置１００全般のシステム制御を司る。例えば、システム制御マイコン１５は、当該情報処理装置（不図示）から標準記録モード又は高密度記録モードのいずれか一方が指定されるとともに、ＰＳＮアドレスを含めた記録要求コマンドを受信した場合には、当該ＰＳＮアドレスに対応づけられた記録領域への記録データに対して指定された記録モードに応じたエンコード処理を実行すべく制御を行う。同様に、システム制御マイコン１５は、当該情報処理装置（不図示）から標準記録モード又は高密度記録モードのいずれか一方を指定されてＰＳＮアドレスを含めた再生要求コマンドを受信した場合には、当該ＰＳＮアドレスに対応づけられた記録領域から再生されたデータに対して指定された記録モードに応じたデコード処理を実行すべく制御を行う。
【００３６】
また、システム制御マイコン１５は、特に、ディスク判別処理部１５ａの機能をファームウェア（プログラム）又はハードウェアによって実現する。
【００３７】
ディスク判別処理部１５ａは、ＡＴＩＰデコーダ６から受信する光ディスク２００の識別情報に基づいて、当該光ディスク２００の製造メーカーやディスク種別などを判別する。なお、光ディスク装置１００は、同一ディスク上で異なる記録モード（データフォーマット）による記録データが混在することを禁止している。そこで、ディスク判別処理部１５ａは、光ディスク２００が既に記録された状態にある場合、標準記録モード又は高密度記録モードのいずれか一方のモードで記録されたかについてのモード判別を行う。この判別方法については、例えば、ＰＬＬ回路８で生成されたクロック信号に基づいて１ＡＴＩＰ区間について記録されているデータサイズを計測し、この計測したデータサイズに基づいてモード判別を行う。
【００３８】
レーザー出力制御回路１６は、高密度記録モード用エンコーダ１１又は標準記録モード用エンコーダ１２から受信した記録用変調信号に基づいて、レーザー素子１ａをレーザー発光駆動するためのパルス信号を生成してレーザー駆動回路１７に送信する。また、レーザー出力制御回路１６は、システム制御マイコン１５による制御下で、レーザー素子１ａから出射されるレーザー光の最適記録パワー値を設定するためのＯＰＣを実行する。
【００３９】
レーザー駆動回路１７は、レーザー出力制御回路１６から受信したパルス信号に基づいて、レーザー素子１ａを記録時においてレーザー発光駆動する。これによって、レーザー素子１ａからレーザー光が出射され、高密度記録モード用エンコーダ１１又は標準記録モード用エンコーダ１２出力の記録用変調信号に応じたピットが光ディスクの記録トラックに形成されることになる。
【００４０】
スピンドルモーター１８は、光ディスク２００を回転駆動するモーターであり、モーター駆動回路１９は、スピンドルモーター１８を回転駆動するための回路である。モーター制御回路２０は、ＷＢＬ検出部５から受信したＷＢＬ信号に基づくウォブリング周波数の情報を用いて、ＣＤ規格による線速度一定方式にてスピンドルモーター１８の回転駆動制御を行うための回路である。あるいは、スピンドルモーター１８の回転に応じて発生するパルス信号を用いて、角速度一定方式にてスピンドルモーター１８の回転駆動制御を行ってもよい。
【００４１】
以上が、光ディスク装置１００の主な構成要素の概要である。
【００４２】
＜データフォーマット＞
＝＝＝  標準記録モードの場合  ＝＝＝
まず、図２を用いて、標準記録モードの場合に採用されるデータフォーマット（データ構造）について説明する。同図に示すとおり、光ディスク２００に記録されるデータの最小単位は、ＣＤ規格のＥＦＭ（８／１４変調）変調方式に基づいた１ＥＦＭフレームとなる。そして、９８ＥＦＭフレームにて５８８ビットの１フレームが構成される。また、この１フレームによって、"Ｐ，Ｑ，Ｒ，…，Ｗ"からなる１サブコーディングフレーム（トラック番号、インデックス情報、絶対・相対アドレス等を含む）が生成される。
【００４３】
また、光ディスク２００の内周部の記録トラックから外周部の記録トラックに向かって、記録トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（minute）」を示し、続く８ビットは「秒（second）」を示し、下位８ビットは「フレーム」を示す。
【００４４】
また、１秒間あたりのフレーム数は"７５"である。ここで、"１／７５"秒間に相当するＡＴＩＰアドレスによって設定される記録領域（以下、１ＡＴＩＰ区間と称する。）は、光ディスク装置１００において記録・再生単位として扱う１セクタとなる。この１セクタ分の記録領域は、通常、２ｋバイトで構成され、前述したようにシンクパターン、識別情報、データ及びウォブリング情報、ＣＲＣデータなどが記録される。
【００４５】
＝＝＝  高密度記録モードの場合  ＝＝＝
つぎに、図３を用いて、高密度記録モードの場合に採用されるデータフォーマット（データ構造）について説明する。高密度記録モードでは、標準記録モードと比較して例えば２．０倍の記録密度を実現するよう規定される。このため、高密度記録モードの場合に採用されるデータフォーマットとしては、前述の１ＡＴＩＰ区間に対して、２セクタ分、すなわち４ｋバイトのデータを記録することになる。なお、１セクタ分の記録領域には、同図に示すとおり、ＩＤ情報、記録データ及びパリティビットが記録される。
【００４６】
また、高密度記録モードのデータフォーマットでは、ＤＶＤ規格に則した変調・復調方式を採用しているため、リードソロモン符号による誤り訂正を行う単位である１ＥＣＣ(Error Correction Code)ブロック単位での記録・再生が行われる。なお、１ＥＣＣブロックは１６セクタ分（３２ｋバイト）のデータとして規定されており、例えば８ＡＴＩＰ区間に相当する記録領域に記録される。
【００４７】
＜ディスクフォーマット＞
＝＝＝  標準記録モードの場合  ＝＝＝
まず、標準記録モードの場合に採用される光ディスク（ＣＤメディア）２００のディスクフォーマットについて図４を用いて説明する。
【００４８】
標準記録モードの場合のディスクフォーマット４００では、光ディスク２００の内周側から外周側に対して、ＰＣＡ（Power Calibration Area）４００ａ、ＰＭＡ（Program Memory Area）４００ｂ、リードインエリア４００ｃ、プリギャップエリア４００ｄ、データエリア４００ｅ及びリードアウトエリア４００ｆが設けられている。
【００４９】
ＰＣＡ４００ａは、実記録に先立って、記録速度や光ディスク２００の種別に応じたレーザー素子１ａの最適な記録パワー値を設定するために予約された記録領域である。なお、ＰＣＡ４００ａは、光ディスクへ出射するレーザー出力を調整するテスト信号が記録されるテストエリア４００ｇと、テストエリアの外周側に設けられテスト信号の記録回数が記録されるカウントエリア４００ｈに区分される。
【００５０】
ＰＭＡ４００ｂは、図６に示すように、光ディスク２００のデータエリア４００ｅに記録するデータを一時的に記録するメインチャンネル用の領域と、光ディスク２００に記録中のデータのアドレスや、経過時間などの記録／再生の状態を示す管理情報が格納されるサブチャンネル用の領域と、によって構成される。
【００５１】
メインチャンネル用の領域は、例えば、ディジタルのオーディオデータとそのオーディオデータについて誤り訂正を行うためのパリティビットが記録される。そして、その記録が終了（セッションがクローズ）したときに空き領域となる。サブチャンネル用の領域は、同期パターンと、"Ｐ，Ｑ，Ｒ，…，Ｗ"のチャンネルからなる１サブコーディングフレームに記録されるべき情報が記録される。
【００５２】
なお、１サブコーディングフレームのうち特にＱチャンネルについての情報（サブコードＱ）は、図６に示すように、例えば、オーディオデータの識別を行うためのコントロール部（コントロール）、アドレス部（アドレス）、楽章番号（ＴＮｏ）、インデックス番号（Ｘ）、データ間の区切りを示すための０データ部（ＺＥＲＯ）、楽章（トラック）の先頭からの経過時間としての分（ＭＩＮ）、秒（ＳＥＣ）、フレーム番号（ＦＲＡＭＥ）、ＣＤの先頭の楽章（トラック）からの連続した経過時間を示す絶対時間としての分（ＭＩＮ）、秒（ＳＥＣ）、フレーム番号（ＦＲＡＭＥ）、といった内容が記録される。
【００５３】
リードインエリア４００ｃは、ＣＤ規格（標準記録モード）のデータ単位であるセッションの先頭に存在する各セッションの情報を記録する領域である。また、リードインエリア４００ｃ内にはＴＯＣ（Table Of Contents）エリアが設定されており、光ディスク２００を終了化する（セッションをクローズする）際にはＰＭＡ４００ｂ内の管理データＰＭＤが当該ＴＯＣエリアに記録される。
【００５４】
プリギャップエリア４００ｄは、各トラックの間隔（ギャップ）を設定した領域であり、データエリア４００ｅは、データの記録及び再生が実際に行われるユーザー利用可能領域である。また、リードアウトエリア４００ｆは、各セッションの終了を示すための領域である。
【００５５】
＝＝＝  高密度記録モードの場合  ＝＝＝
つぎに、高密度記録モードの場合に採用される光ディスク（ＣＤメディア）２００のディスクフォーマットについて図４を用いて説明する。
【００５６】
高密度記録モードの場合の光ディスク２００のディスクフォーマット４１０では、光ディスク２００の内周側から外周側に対して、フォーマットエリア４１０ａ、ＰＣＡ（『パワーキャリブレーション領域』）４１０ｂ、ＰＭＡ（『プログラムメモリ領域』）４１０ｃ、データエリア（『データ領域』）４１０ｄ及びリードアウトエリア４１０ｅが設けられている。なお、フォーマットエリア４１０ａとＰＣＡ４１０ｂの配置順序を逆にする場合も考えられる。
【００５７】
高密度記録モードのディスクフォーマット４１０は、標準記録モードのディスクフォーマット４００と比較すると、フォーマットエリア４１０ａがＰＣＡ４００ａに、ＰＣＡ４１０ｂがＰＭＡ４００ｂに、ＰＭＡ４１０ｃがリードインエリア４００ｃにそれぞれ設定されている。また、データエリア４１０ｄは、プリギャップエリア４００ｄから開始されており、リードアウトエリア４１０ｅの直前まで設定されている。
【００５８】
なお、フォーマットエリア４１０ａは、高密度記録モードにおいて光ディスク２００のフォーマット処理が実行された場合に、所定のデータが記録される領域である。なお、所定のデータとしては、標準記録モードのＰＣＡ４００ａに記録するデータとは無関係なデータ（例えば、全て"０"）としてもよいし、製造者識別ＩＤ、製造型番及び高密度記録モードのディスクフォーマットを示す２値化コードなどの当該光ディスク２００を識別するための識別データを記録してもよい。
【００５９】
また、ＰＭＡ４１０ｃは、ＴＯＣエリアとしても利用される。すなわち、ＰＭＡ４１０ｃには標準記録モードの場合と同様に管理データＰＭＤが記録されることになり、光ディスク２００を終了化する（セッションをクローズする）際には当該管理データＰＭＤがＴＯＣとして利用される。
【００６０】
以上の構成により、高密度記録モードのディスクフォーマット４１０は、標準記録モードのディスクフォーマット４００と比較すると、プリギャップエリア４００ｄの省略などによって高密度記録を可能としている。
【００６１】
＜ＡＴＩＰアドレスとＰＳＮアドレスの関係＞
＝＝＝  ＡＴＩＰアドレス  ＝＝＝
ＡＴＩＰアドレスについて詳細に説明する。
【００６２】
図５には、光ディスク装置１００が、光ディスク２００のプリグルーブの物理的なウォブリング情報をデコードして得られるＡＴＩＰアドレスの設定情報が示されている。このＡＴＩＰアドレスは、光ディスク２００の記録トラックに付与された物理アドレスとしての一面と、光ディスク装置１００が光ディスク２００への記録又は再生の制御するために用いる論理アドレスとしての一面がある。
【００６３】
データエリアの最内周側に相当するＡＴＩＰアドレスは、"００（分）：００（秒）：００（フレーム）"である。そして、このデータエリアの最内周側から外周側に向かっての記録領域（以下、外周側記録領域と称する。）では、"１秒間＝７５フレーム"の換算にて、"００（分）：００（秒）：００（フレーム）"を１フレーム単位で単純増加していったＡＴＩＰアドレスが付与される。
【００６４】
一方、"００（分）：００（秒）：００（フレーム）"よりも内周側の記録領域（以下、内周側記録領域と称する。）は、ＰＣＡやＰＭＡなどユーザーが使用不可能な予約領域である。この内周側記録領域においても、外周側記録領域と同様に、"１秒間＝７５フレーム"の換算で１フレーム単位でＡＴＩＰアドレスが付与される。
【００６５】
＝＝＝  ＰＳＮアドレス  ＝＝＝
ＰＳＮアドレスについて詳細に説明する。
【００６６】
図５には、光ディスク装置１００が、光ディスク２００への記録又は再生を高密度記録モードにて行う場合において、論理アドレスとして用いるＰＳＮアドレスの設定情報が示されている。
【００６７】
ここで、ＰＳＮアドレスとは、当該ＡＴＩＰアドレスとしての絶対アドレスを"ｘ"とする場合に、"ｙ＝ｎ×（ｘ−ｍ）＋ｍ"によって算出される高密度記録用アドレス（ｙ）を示す。ここで、"ｎ"は記録密度についての倍率（標準記録モードの倍率を１とする）であり、２．０倍の記録密度であれば"ｎ＝２．０"である。また、"ｍ"は基準アドレスである。
【００６８】
すなわち、ＰＳＮアドレスは、絶対アドレス"ｘ"に基づいた単位時間（"１／７５"秒間）に相当する記録領域（１ＡＴＩＰ区間）を、記録密度についての倍率（ｎ）によって区分するという高密度記録モードのデータフォーマットに従って、１ＡＴＩＰ区間の論理的な区分領域に付与されることになる。このＰＳＮアドレスを用いた高密度記録モードによる記録によって、１ＡＴＩＰ区間にはｎ倍のデータが記録され、その結果、光ディスク２００の記録密度はｎ倍となる。
【００６９】
なお、本発明では、記録密度の倍率（ｎ）を"２"とし、データエリアの最内周側のＰＳＮアドレス（ｍ）を"３００００Ｈ（Hexadecimal ：１６進）"とする。この場合、外周側記録領域のＡＴＩＰアドレスに対応づけられるＰＳＮアドレス（ｙ）は、"ｙ＝２×（ｘ（１６進）−３００００Ｈ）＋３００００Ｈ"として算出される。例えば、"００（分）：００（秒）：０１（フレーム）"のＡＴＩＰアドレスに対応するＰＳＮアドレスは、"３０００２Ｈ＝２×（３０００１Ｈ−３００００Ｈ）＋３００００Ｈ"である。
【００７０】
このように、ＡＴＩＰアドレスとＰＳＮアドレスは相互に対応づけられており、光ディスク装置１００は、高密度記録モードによる光ディスク２００へのアクセス制御において、ＰＳＮアドレスに限らずＡＴＩＰアドレスを用いることが可能である。    
＜光ディスク装置のディスク判別動作＞
＝＝＝  概要説明  ＝＝＝
図４及び図６に基づいて説明したＰＭＡ領域４００ｂにおいて、光ディスク２００に標準記録モードのデータフォーマットに則して記録を行う場合には、通常、メインチャンネル用の領域にはすべて"００ｈ"（論理値０）が記録され、サブチャンネル用の領域には所定のデータ（例えば、サブコードＱ）が記録されている。
【００７１】
本発明では、光ディスク２００に高密度記録モードのデータフォーマットに則して記録を行う場合、標準記録モードのデータフォーマットにより設定されるＰＭＡ領域４００ｂのメインチャンネル用の領域の所定範囲及び／又はサブチャンネル用の領域の所定範囲に対して、標準記録モードのデータフォーマットで記録されるべきデータとは異なる判別コードを、標準記録モードのデータフォーマットに則して記録を行う。
【００７２】
この結果、標準記録モード専用のデコーダを備える他の光ディスク装置（不図示）において、高密度記録モードのデータフォーマットに則して記録された光ディスク２００を再生するとき、標準記録モードのデータフォーマットに則して記録された判別コードを検出することができる。よって、他の光ディスク装置は、ＣＤメディアである光ディスク２００の再生を行う際、当該光ディスク２００が標準記録モードのデータフォーマットに則して記録されていない状態にあること、ひいては、高密度記録モードのデータフォーマットに則して記録された状態にあることを正しく判別することができる。
【００７３】
なお、判別コードが記録されるメインチャンネル用の領域及び／又はサブチャンネル用の領域の所定範囲としては、メインチャンネル用の領域及び／又はサブチャンネル用の領域のうち予め設定された一部の領域であってもよいし、メインチャンネル用の領域及び／又はサブチャンネル用の領域全域であってもよい。
【００７４】
判別コードは、例えば、"ＦＦｈ"（論理値１）というデータを採用することができる。ここで、メインチャンネル用の領域及び／又はサブチャンネル用の領域全域に、判別コードとして例えば"ＦＦｈ"を記録するようにすれば、論理値１と論理値０の羅列とする判別コードの場合と比べて、光ディスク装置１００の判別コードの記録に関する処理が容易となる。さらには、他の光ディスク装置において、判別コードの検出処理が容易となる。
【００７５】
なお、判別コードとしては、標準記録モードのデータフォーマットで使用されない他のデータを採用してもよい。例えば、通常、サブチャンネル用の領域全域が論理値０になることがないので、サブチャンネル用の領域の所定範囲を"００ｈ"（論理値０）とするデータを採用してもよい。
【００７６】
一方、他の光ディスク装置（不図示）などで再生を行う場合には、ＰＭＡ領域４００ｂの検出を複数回、例えば１６回行う。そして、その結果ＰＭＡ領域４００ｂに判別コードが記録されていることを例えば１６回検出した場合に、光ディスク２００を高密度記録モードのデータフォーマットで記録されたＣＤメディアであると判別することにする。この結果、他の光ディスク装置におけるディスク判別の信頼性を向上させることができる。
【００７７】
＝＝＝  ＰＭＡ領域の記録  ＝＝＝
図７に、ＰＭＡ領域４００ｂ記録の動作を説明するためのフローチャートを示す。  
まず、光ディスク装置１００は、装着された光ディスク２００が記録用ＣＤであるか否かの判定を行う（Ｓ７０１）。記録用ＣＤでないと判定された場合（Ｓ７０１：ＮＯ）には、光ディスク２００は再生専用ＣＤであるので、記録は行われない（Ｓ７０２）。光ディスク２００が記録用ＣＤであると判定された場合（Ｓ７０１：ＹＥＳ）には、光ディスク装置１００は、光ディスク２００がブランクディスクであるか否かの判定を行う（Ｓ７０３）。
【００７８】
光ディスク２００がブランクディスクでないと判定された場合（Ｓ７０３：ＮＯ）には、光ディスク装置１００はＤＶＤ規格のデータフォーマットであるか否かを判別するためのＰＭＡ領域４００ｂを無効化する処理（判別コードの記録）を行わない（Ｓ７０４）。これはＣＤ規格のデータフォーマットで既に記録されているとＤＶＤ規格のデータフォーマットとすることができず、またＤＶＤ規格のデータフォーマットで既に記録されていると新たにＰＭＡ領域４００ｂを無効化する必要がないからである。
【００７９】
光ディスク２００がブランクディスクであると判定された場合（Ｓ７０３：ＹＥＳ）には、光ディスク装置１００は光ディスク２００に対しフォーマット処理（Ｓ７０５）及び記録パワー調整のための試行記録であるＯＰＣの実行（Ｓ７０６）を行う。そしてメインチャンネル用の領域およびサブチャンネル用の領域を含むＰＭＡ領域４００ｂ全体にＣＤ規格のデータフォーマットに則してＰＭＡ領域４００ｂを無効化する処理、例えばＰＭＡ領域４００ｂのメインチャンネル用の領域とサブチャンネル用の領域に判別コードとして"ＦＦｈ"の記録を行う（Ｓ７０７）。その後、通常のＤＶＤ規格のデータフォーマットにて、メインデータ、リードイン、リードアウト領域の記録処理を行う。
【００８０】
＝＝＝  ＰＭＡ領域の読み出し  ＝＝＝
次に、図９にＰＭＡ領域４００ｂの読み出しの動作を説明するためのフローチャートを示す。なお、このＰＭＡ領域４００ｂの読み出しはＤＶＤ規格の専用デコーダを備えていない他の光ディスク装置（不図示）にて行う。
【００８１】
まず記録済みの光ディスク２００が当該光ディスク装置（不図示）に装着され、ＣＤメディアであると判定される（Ｓ８０１）。そして光ディスク装置（不図示）は光学ヘッド１に組み込まれたサーボ機構（トラッキングサーボ機構やフォーカスサーボ機構等）を調整するサーボ調整を行った後（Ｓ８０２）、ＰＭＡ領域４００ｂの読み出しを行い（Ｓ８０３）、"ＦＦｈ"の判別コードが検出されるか否かを判別する（Ｓ８０４）。
【００８２】
ＰＭＡ領域４００ｂのメインチャンネル用の領域とサブチャンネル用の領域において予め設定された回数（例えば１６回）判別コードの"ＦＦｈ"のデータが検出されない場合には（Ｓ８０４：ＮＯ）、光ディスク２００はＣＤ規格のデータフォーマットに則して記録されたＣＤメディアであると判別される（Ｓ８０６）。光ディスク装置（不図示）が光ディスク２００のＰＭＡ領域４００ｂのメインチャンネル用の領域とサブチャンネル用の領域の読み出しにおいて"ＦＦｈ"の判別コードを例えば１６回検出した場合には（Ｓ８０４：ＹＥＳ）、当該光ディスク２００はＤＶＤ規格のデータフォーマットで記録されたＣＤメディアであると判別される（Ｓ８０５）。
【００８３】
このように光ディスク装置１００が、光ディスク２００にＤＶＤ規格のデータフォーマットに則して記録を行う場合に、ＰＭＡ領域４００ｂをＣＤ規格のデータフォーマットに則して、通常ＰＭＡ領域４００ｂには記録されることのない判別コードを記録し、再生する場合には、ＣＤ規格のデータフォーマットに則してＰＭＡ領域４００ｂの判別コードを検出することにより、ＣＤ専用のデコーダを備えた光ディスク装置（不図示）においてもＤＶＤ規格のデータフォーマットによって記録された光ディスク２００を判別することができる。
【００８４】
また光ディスク装置（不図示）はＤＶＤ規格のデータフォーマットに則して記録が行われた光ディスク２００を再生する場合、判別コードを例えば１６回検出した後、光ディスク２００がＤＶＤ規格のデータフォーマットによって記録されていることを判別しているので、判別を誤ることの発生回数が減少し、信頼性が向上する。
【００８５】
ＤＶＤ規格のデータフォーマットで記録されたＣＤメディアの場合、当該ＣＤメディアは、ＤＶＤ規格のデータフォーマットなので、ＣＤ規格専用のデコーダではデコードすることは不可能ではあるが、本発明を用いることによりＣＤ規格専用のデコーダを備える光ディスク装置（不図示）においてもＤＶＤ規格のデータフォーマットによって記録された光ディスク２００を判別することは可能となる。
【００８６】
例えば、ＣＤ規格専用のデコーダを備える光ディスク装置において、光ディスク２００がＣＤ規格のデータフォーマットでない場合にはＤＶＤ規格のデータフォーマットで記録された光ディスクであることを表示することはできないが、エラーと表示したり、強制的にイジェクトすることができる。
【００８７】
また、ＣＤ規格専用のデコーダを備える光ディスク装置においても、当該光ディスク装置に表示機能を備えるという簡単な構成を設けることで、ＤＶＤ規格でデータフォーマットされた光ディスク２００であることをユーザーに認知させることができる。
【００８８】
以上、本発明に係る光ディスク装置及び光ディスクの判別方法によれば、一つの光ディスクメディアに対し通常規格のデータフォーマットと高密度規格のデータフォーマットの複数の形式の何れかで記録可能な光ディスク装置によって記録された光ディスクメディアのデータフォーマット形式を、通常規格のデータフォーマット形式のデコーダを備える光ディスク装置（不図示）によって、判別することができる。
【００８９】
以上、本発明の実施形態について、その実施形態に基づき具体的に説明したが、これに限定されるものではなく、その要旨を逸脱しない範囲で種々変更可能である。
【図面の簡単な説明】
【００９０】
【図１】本発明の一実施形態に係る光ディスク装置を含めたシステムの概略構成図である。
【図２】標準記録モードの場合に採用されるデータフォーマットを説明する図である。
【図３】高密度記録モードの場合に採用されるデータフォーマットを説明する図である。
【図４】標準記録モード及び高密度記録モードの場合に採用されるディスクフォーマットを説明する図である。
【図５】ＡＴＩＰアドレスとＰＳＮアドレスの関係を説明する図である。
【図６】標準記録モードの場合のデータフォーマットにおけるＰＭＡ領域４００ｂの構造の一例を説明する図である。
【図７】本発明の一実施形態に係るＰＭＡ領域４００ｂ記録の記録の動作を説明するフローチャートである。
【図８】本発明の一実施形態に係るＰＭＡ領域４００ｂの読み出しの動作を説明するフローチャートである。
【符号の説明】
【００９１】
１    光学ヘッド                    １ａ  レーザー素子
２    フロントエンド処理部          ３    光学ヘッドサーボ回路
４    ＲＦ信号２値化処理部          ５    ＷＢＬ検出部
６    ＡＴＩＰデコーダ              ６ａ  ＣＲＣチェック回路
７    ＰＳＮデコーダ                ８    ＰＬＬ回路
９    高密度記録モード用デコーダ    １０  標準記録モード用デコーダ
１１  高密度記録モード用エンコーダ  １２  標準記録モード用エンコーダ
１３  インタフェース部              １４  ＲＡＭ
１５  システム制御マイコン          １５ａ  ディスク判別処理部  
１６  レーザー出力制御部            １７  レーザー駆動回路
１８  スピンドルモーター            １９  モーター駆動回路
２０  モーター制御回路
１００  光ディスク装置
２００  光ディスク
４００  ディスクフォーマット（標準記録モード）
４１０  ディスクフォーマット（高密度記録モード）
【図１】
2005129179.tif 000003
【図２】
2005129179.tif 000004
【図３】
2005129179.tif 000005
【図４】
2005129179.tif 000006
【図５】
2005129179.tif 000007
【図６】
2005129179.tif 000008
【図７】
2005129179.tif 000009
【図８】
2005129179.tif 000010